【事件の表示】
　特願２０１３−２３９１９８号「点灯装置および照明器具」拒絶査定不服審判事件〔平成２６年　４月１７日出願公開、特開２０１４−　６７７２０号〕について、次のとおり審決する。
【結　論】
　本件審判の請求は、成り立たない。
【理　由】
１．手続の経緯及び本願発明
　本願は、平成２１年６月２日（以下、「遡及出願日」という。）に出願した特願２００９−１３３３００号の一部を、平成２５年９月９日に新たな特許出願である特願２０１３−１８５８９２号とし、さらにその一部を平成２５年１１月１９日に新たな特許出願としたものであって、平成２６年２月２７日付けで拒絶理由が通知され、同年４月２４日付けで意見書及び手続補正書が提出されたが、同年７月１６日付けで拒絶査定がなされた。これに対して、同年１０月１４日付けで拒絶査定不服審判の請求がなされると同時に、特許請求の範囲を補正する手続補正書が提出された。その後、平成２７年８月１８日付けで当審において拒絶理由が通知され、同年１０月２２日付けで意見書が提出されたものである。
　そして、本願の請求項１〜４に係る発明は、平成２６年１０月１４日付け手続補正により補正された特許請求の範囲の請求項１〜４に記載された事項により特定されるとおりのものと認められるところ、請求項１に係る発明（以下、「本願発明」という。）は次のとおりのものである。
「【請求項１】
　第１のＬＥＤと、
　前記第１のＬＥＤと色温度が異なる第２のＬＥＤと、
　電源スイッチがオンからオフに切り替わってから所定時間内にオンに切り替わる一時停止制御を検出する切替検出部と、
　前記第１のＬＥＤに接続される第１のスイッチング素子と、
　前記第２のＬＥＤに接続される第２のスイッチング素子と、
　前記第１のＬＥＤと前記第２のＬＥＤとのそれぞれに電源を供給する共通の直流電源回路と、
　前記切替検出部が一時停止制御を検出した場合、前記第１のスイッチング素子に流す第１の電流と前記第２のスイッチング素子に流す第２の電流とを制御することによって、前記第１のＬＥＤと前記第２のＬＥＤとのうちの一方のＬＥＤを点灯させて他方のＬＥＤを消灯させる調光制御部と
を備えたことを特徴とする点灯装置。」
２．刊行物
（１）刊行物１記載の事項及び引用発明
　当審の拒絶理由で引用した、本願の遡及出願日前に頒布された刊行物である、特開平４−３４９３９０号公報（以下、「刊行物１」という。）には、図面とともに次の事項が記載されている。
（ア）
「【０００１】
【産業上の利用分野】本発明は、電力線を介して照明負荷の動作を遠隔制御する照明制御装置に関するものである。
【０００２】
【従来の技術】この種の従来の照明制御装置を図６に示す。この照明制御装置では、ＡＣ１００Ｖの商用電源ラインに操作装置Ｂとしての壁スイッチＳＷ０を介して動作切換装置Ａを接続し、壁スイッチＳＷ０の操作に応じて動作切換装置Ａが２つのランプＬ１，Ｌ２の点灯制御を行う。そして、動作切換装置Ａは、電源の瞬断時間を検出する瞬断検出回路Ｃと、この瞬断検出回路Ｃにより開閉制御されるスイッチ要素ＳＷ１，ＳＷ２とで構成されている。
【０００３】上記瞬断検出回路Ｃは、瞬断時間が一定範囲内のもの（例えばｔ１〜ｔ２）であれば、壁スイッチＳＷ０からの制御信号であると判定して、スイッチ要素ＳＷ１，ＳＷ２の開閉制御を行う。また、この照明制御装置のスイッチ要素ＳＷ１，ＳＷ２は、スイッチ要素ＳＷ１がオンであるときに、スイッチ要素ＳＷ２をオフとし、スイッチ要素ＳＷ１がオフのとき、スイッチ要素ＳＷ２をオンとするように、互いに相反して動作させるようにしてある。
【０００４】従って、壁スイッチＳＷ０から制御信号が与えられる毎に、ランプＬ１，Ｌ２は交互に点灯する。
この壁スイッチＳＷ０を操作した場合の動作状態を図７中のイで示す。図７中のロ部分は商用電源Ｖｓの瞬断時間がｔ１よりも短い（ｔ１未満）場合を示し、この場合には瞬断検出回路Ｃがこれは制御信号として受け付けないので、スイッチ要素ＳＷ１，ＳＷ２の切換状態がそのまま維持され、ランプＬ１，Ｌ２の点灯状態は変化しない。
【０００５】図７のハ部分は商用電源Ｖｓが断たれた時間がｔ２よりも長い場合を示し、この際には瞬断検出回路Ｃが動作状態を維持できなくなって不動状態となり、その後商用電源Ｖｓが再度投入された時点で動作を開始する。従って、この際に動作切換装置Ａが初期化され、スイッチ要素ＳＷ１，ＳＷ２が初期切換状態に戻る。ここでは、スイッチ要素ＳＷ１，ＳＷ２の初期切換状態は、スイッチ要素ＳＷ１がオンで、スイッチ要素ＳＷ２がオフとなっている。」
（イ）
　【図６】から、ランプＬ１とスイッチ要素ＳＷ１とを直列に接続した回路と、ランプＬ２とスイッチ要素ＳＷ２とを直列に接続した回路と、瞬断検出回路Ｃとが、互いに並列に接続されているとともに、商用電源Ｖｓの商用電源ラインに壁スイッチＳＷ０を介して接続されていることを看取しうる。
　以上の記載事項及び【図６】、【図７】の開示事項からみて、刊行物１には、以下の発明（以下、「引用発明」という。）が記載されているものと認められる。
〔引用発明〕
「ランプＬ１とスイッチ要素ＳＷ１とを直列に接続した回路と、
　ランプＬ２とスイッチ要素ＳＷ２とを直列に接続した回路と、
　瞬断検出回路Ｃとが、
　互いに並列に接続されているとともに、
  商用電源Ｖｓの商用電源ラインに壁スイッチＳＷ０を介して接続された照明制御装置であって、
　瞬断検出回路Ｃは、電源の瞬断時間を検出し、瞬断時間が一定範囲内のものであれば、壁スイッチＳＷ０からの制御信号であると判定して、制御信号が与えられる毎に、互いに相反して動作するスイッチ要素ＳＷ１，ＳＷ２の開閉制御を行い、２つのランプＬ１，Ｌ２を交互に点灯させる、
　照明制御装置。」
（２）刊行物２記載の事項
　当審の拒絶理由で引用した、本願の遡及出願日前に頒布された刊行物である、特開２００９−９８１７号公報（以下、「刊行物２」という。）には、図面とともに次の事項が記載されている。
（ウ）
「【００４１】
　図１に示すように、照明装置であるＬＥＤ点灯装置11は、一定電流を供給する定電流電源12の出力端子に、第１発光モジュール13と第２発光モジュール14とが互いに並列に接続されているとともに、これら発光モジュール13，14に対して、制御部15が接続されている。
【００４２】
　定電流電源12は、商用交流電源ｅに対して整流部であるダイオードブリッジDBを介して接続されている。
【００４３】
　第１発光モジュール13は、１つ、あるいは複数の第１光源であるＬＥＤ16が互いに直列に接続された第１光源部17を有するとともに、この第１光源部17に第１スイッチング素子としての第１半導体スイッチであるトランジスタ18が直列に接続されている。
【００４４】
　同様に、第２発光モジュール14は、１つ、あるいは複数の第２光源であるＬＥＤ21が互いに直列に接続された第２光源部22を有するとともに、この第２光源部22に第２スイッチング素子としての第２半導体スイッチであるトランジスタ23が直列に接続されている。
【００４５】
　ＬＥＤ16，21は、互いに色温度が異なる白色系の光源であり、例えばＬＥＤ16が６５００Ｋ、ＬＥＤ21が２７００Ｋの色温度を有している。
【００４６】
　トランジスタ18，23は、各発光モジュール13，14に流れる電流値を制御する例えばＮＰＮ型のバイポーラトランジスタであり、これらトランジスタ18，23の入力端子であるコレクタは、ＬＥＤ16，21に接続され、制御端子であるベースは、制御部15とそれぞれ接続されている。
【００４７】
　そして、制御部15は、各発光モジュール13，14の駆動を制御することでこれら発光モジュール13，14から発光する光の混合比を制御して、ＬＥＤ点灯装置11に所望の色の白色光を発光させるもので、制御部電源25と、制御部本体であるＰＷＭ制御部26と、このＰＷＭ制御部26からのＰＷＭ制御信号を反転させる反転部である反転素子27とを備えている。」
（エ）
「【００４９】
　ＰＷＭ制御部26は、例えばマイコンなどであり、第１発光モジュール13のトランジスタ18のベースに直接接続されているとともに、反転素子27を介して、第２発光モジュール14のトランジスタ23のベースに接続されており、図２に示すように、ＰＷＭ制御信号として、任意のデューティ比のパルス信号を出力している。したがって、第１発光モジュール13のトランジスタ18のベースには、通常のＰＷＭ制御信号が入力されるとともに、第２発光モジュール14のトランジスタ23のベースには、ＰＷＭ制御信号を反転素子27により反転させた反転信号が入力され、図２に示すように、第１発光モジュール13のＬＥＤ16に流れる点灯電流ＩL1のオン期間とオフ期間とが、それぞれ第２発光モジュール14のＬＥＤ21に流れる点灯電流ＩL2のオフ期間とオン期間とにそれぞれ対応している。」
（オ）
「【００５１】
　次に、上記第１の実施の形態の動作を説明する。
【００５２】
　制御部電源25から給電されたＰＷＭ制御部26の動作により、トランジスタ18のベースにＰＷＭ制御信号が供給されることで、このＰＷＭ制御信号のオン期間のみトランジスタ18が通電動作し、この通電時に第１発光モジュール13のＬＥＤ16に点灯電流ＩL1が流れ、ＰＷＭ制御信号のオンデューティに対応した発光量で各ＬＥＤ16が発光する。
【００５３】
　一方、トランジスタ23のベースには、ＰＷＭ制御部26からのＰＷＭ制御信号を反転素子27で反転させた反転信号が供給されることで、この反転信号のオン期間(ＰＷＭ制御信号のオフ期間)のみトランジスタ23が通電動作し、この通電時に第２発光モジュール14のＬＥＤ21に点灯電流ＩL2が流れ、反転信号のオンデューティ(ＰＷＭ制御信号のオフデューティ)に対応した発光量で各ＬＥＤ21が発光する。
【００５４】
　そして、上記トランジスタ18，23の切り換えが肉眼で認識できない程度のサイクルで行われることにより、ＬＥＤ16からの発光とＬＥＤ21からの発光とが観測者の目で合成されて、ＬＥＤ16の色温度とＬＥＤ21の色温度との中間の色温度を有する照明光を得ることができる。
【００５５】
　すなわち、ＰＷＭ制御部26からのＰＷＭ制御信号のオンデューティを可変させることで、このＰＷＭ制御信号のデューティ比に応じて各ＬＥＤ16の発光量と、各ＬＥＤ21の発光量とが相補的に可変されるので、出力を一定としつつ、色温度の混合比が変化し、色温度を異ならせた照明光を容易に得ることができる。」
３．対比・判断
　本願発明と引用発明とを対比すると、後者の「ランプＬ１」、「ランプＬ２」は、前者の「第１のＬＥＤ」、「第２のＬＥＤ」と、「第１の光源」、「第２の光源」である限りにおいて一致する。
　後者の「壁スイッチＳＷ０」は、前者の「電源スイッチ」に相当する。
　後者のランプＬ１に直列に接続された「スイッチ要素ＳＷ１」、ランプＬ２に直列に接続された「スイッチ要素ＳＷ２」は、前者の「第１のＬＥＤに接続される第１のスイッチング素子」、「第２のＬＥＤに接続される第２のスイッチング素子」に、「第１の光源に接続される第１のスイッチング要素」、「第２の光源に接続される第２のスイッチング要素」である限りにおいて一致する。
　後者の「商用電源Ｖｓ」は、互いに並列に接続されているランプＬ１、ランプＬ２に接続されており、共通の電源といえるので、前者の「第１のＬＥＤと第２のＬＥＤとのそれぞれに電源を供給する共通の直流電源回路」と、「第１の光源と第２の光源とのそれぞれに電源を供給する共通の電源」である限りにおいて一致する。
　後者の「瞬断検出回路Ｃ」のうちの「電源の瞬断時間を検出し、瞬断時間が一定範囲内のものであれば、壁スイッチＳＷ０からの制御信号であると判定」する部分は、前者の「電源スイッチがオンからオフに切り替わってから所定時間内にオンに切り替わる一時停止制御を検出する切替検出部」に相当する。
　後者の「瞬断検出回路Ｃ」のうちの「制御信号が与えられる毎に、互いに相反して動作するスイッチ要素ＳＷ１，ＳＷ２の開閉制御を行い、２つのランプＬ１，Ｌ２を交互に点灯させる」部分は、前者の「切替検出部が一時停止制御を検出した場合、第１のスイッチング素子に流す第１の電流と第２のスイッチング素子に流す第２の電流とを制御することによって、第１のＬＥＤと第２のＬＥＤとのうちの一方のＬＥＤを点灯させて他方のＬＥＤを消灯させる調光制御部」と、「切替検出部が一時停止制御を検出した場合、第１のスイッチング要素と第２のスイッチング要素とを制御することによって、第１の光源と第２の光源とのうちの一方の光源を点灯させて他方の光源を消灯させる制御部」である限りにおいて一致する。
　後者の「照明制御装置」は、その機能からみて、前者の「点灯装置」に一致する。
　そうすると、両者は、
〔一致点〕
「第１の光源と、
　第２の光源と、
　電源スイッチがオンからオフに切り替わってから所定時間内にオンに切り替わる一時停止制御を検出する切替検出部と、
　前記第１の光源に接続される第１のスイッチング要素と、
　前記第２の光源に接続される第２のスイッチング要素と、
　前記第１の光源と前記第２の光源とのそれぞれに電源を供給する共通の電源と、
　前記切替検出部が一時停止制御を検出した場合、前記第１のスイッチング要素と前記第２のスイッチング要素とを制御することによって、前記第１の光源と前記第２の光源とのうちの一方の光源を点灯させて他方の光源を消灯させる制御部と
を備えた点灯装置。」
である点で一致し、次の点で相違する。
〔相違点〕
　本願発明は、光源が「第１のＬＥＤと、第１のＬＥＤと色温度が異なる第２のＬＥＤと」からなり、第１の光源と第２の光源とがそれぞれＬＥＤであることから、各光源に電源を供給する共通の電源が「直流電源回路」であり、各光源の色温度が異なるものであることから、一方の光源を点灯させて他方の光源を消灯させる制御部が「調光」制御部であり、また、光源に接続される第１及び第２のスイッチング要素が「第１のスイッチング素子」及び「第２のスイッチング素子」であり、それにより制御部が各スイッチング素子に「第１の電流」と「第２の電流」とを流して制御するものであるのに対して、引用発明は、光源は「ランプＬ１」、「ランプＬ２」であり、共通の電源は「商用電源Ｖｓ」であり、制御部は点灯させるランプＬ１、ランプＬ２の色温度が特定されていないため調光するものか明らかでなく、スイッチング要素は「スイッチ要素ＳＷ１」、「スイッチ要素ＳＷ２」であり、スイッチ要素ＳＷ１、スイッチ要素ＳＷ２の開閉制御について特定されていない点。
　上記相違点について検討する。
〔相違点について〕
　刊行物２には、上記２．（２）（ウ）〜（オ）の記載内容からみて、
「第１光源であるＬＥＤ１６とこれに直列に接続した第１半導体スイッチであるトランジスタ１８とからなる第１発光モジュール１３と、
　第２光源であり第１光源のＬＥＤ１６とは色温度が異なるＬＥＤ２１とこれに直列に接続した第２半導体スイッチであるトランジスタ２３とからなる第２発光モジュール１４とが、互いに並列に接続されているとともに、
　一定電流を供給する定電流電源１２の出力端子に接続され、
　第１発光モジュール１３のトランジスタ１８のベースにＰＷＭ制御信号が供給されることで、このＰＷＭ制御信号のオン期間のみＬＥＤ１６を発光させ、第２発光モジュール１４のトランジスタ２３のベースにＰＷＭ制御信号の反転信号が供給されることで、この反転信号のオン期間（ＰＷＭ制御信号のオフ期間）のみＬＥＤ２１を発光させる、
　照明装置。」
が記載されているといえる。
　照明装置の光源をＬＥＤとし、そのＬＥＤを点灯するための電源として直流電源回路を設けることは、本願出願前に周知の事項であり、刊行物２にも、第１光源であるＬＥＤ１６と第２光源であるＬＥＤ２１との共通の電源として、一定電流を供給する定電流電源１２を設けた照明装置が記載されている。
　そうすると、引用発明のランプＬ１、Ｌ２をそれぞれＬＥＤとすることに格別の困難性は認められず、光源をＬＥＤとしたことに伴い、共通の電源である交流電源を直流電源とすることは、刊行物２に記載の事項に基づいて当業者が容易になし得るといえる。
　また、スイッチング要素にスイッチング素子を採用することは、本願出願前に周知の事項であり、刊行物２には、光源であるＬＥＤ１６とＬＥＤ２１の点灯を制御する「第１半導体スイッチであるトランジスタ１８」及び「第２半導体スイッチであるトランジスタ２３」が記載されているとともに、それぞれのベースにＰＷＭ制御信号及びＰＷＭ制御信号の反転信号が供給されることが記載されており、電流で制御されていることが示唆されていると認められる。
　そうすると、引用発明の光源であるランプＬ１、Ｌ２の点灯を制御するスイッチ要素ＳＷ１，ＳＷ２を、電流により開閉制御されるスイッチング素子とすることは、刊行物２に記載の事項に基づいて当業者が容易に想到し得るといえる。
　さらに、複数系統の光源を適宜制御することにより照明状態を変更することは通常行われていることであるところ、引用発明は２つの光源を適宜制御するものであるから、照明状態を変更するように構成する動機付けは十分あるといえる。
　そして、色温度の異なる２系統の光源（ＬＥＤ）を採用し照明状態を変更することは、刊行物２にも示されるとおりであるから、引用発明のランプＬ１、Ｌ２を色温度の異なるＬＥＤとすることは、当業者が容易に想到し得るといえる。
　その結果、制御部は色温度の異なる光源を切り換えるものとなるので、「調光」制御部になるといえる。
　そうしてみると、引用発明を、相違点に係る本願発明の構成とすることは、刊行物２に記載の事項及び周知の事項に基づいて当業者が容易に想到し得たといえる。
　そして、本願発明の奏する作用及び効果を検討しても、引用発明、刊行物２に記載の事項及び周知の事項から予測できる程度のものであって格別のものではない。
　よって、本願発明は、引用発明、刊行物２に記載の事項及び周知の事項
に基いて、当業者が容易に発明をすることができたものである。
　
４．むすび
　以上のとおり、本願の請求項１に係る発明（本願発明）は、引用発明、刊行物２に記載の事項及び周知の事項に基いて、当業者が容易に発明をすることができたものであるから、特許法第２９条第２項の規定により特許を受けることができない。
　したがって、本願の他の請求項に係る発明について検討するまでもなく、本願は拒絶をすべきものである。
　よって、結論のとおり審決する。